(57)【要約】【課題】ＬＥＤ電流の状態に基づいて出力を制御するＬＥＤ電源装置において、入力電源が短時間停止した場合でも入力電源復帰時に再点灯が可能なＬＥＤ電源装置を提供する。【解決手段】本発明のＬＥＤ電源装置（１）は、入力電源からの電圧を充電するコンデンサ（２５）と、コンデンサ（２５）の電圧を電源として出力電流をＬＥＤ（２）に供給する電流制御回路（３０）と、ＬＥＤ（２）に流れるＬＥＤ電流の状態を検出する検出部（４０、４５）と、コンデンサ（２５）の電圧から生成される制御電圧で動作し、ＬＥＤ電流が停止したことが検出部（４０）によって検出された場合に、電流制御回路（３０）に出力動作を停止させるとともに出力動作の停止からの経過時間を測定し、経過時間に応じて電流制御回路（３０）を再始動させるように構成された制御部（６０）を備える。【選択図】  図１
2015153637.tif 000002
【特許請求の範囲】
【請求項１】
ＬＥＤ電源装置であって、
入力電源からの電圧を充電するコンデンサと、
前記コンデンサの電圧を電源として出力電流をＬＥＤに供給する電流制御回路と、
前記ＬＥＤに流れるＬＥＤ電流の状態を検出する検出部と、
前記コンデンサの電圧から生成される制御電圧で動作し、前記ＬＥＤ電流が停止したことが前記検出部によって検出された場合に、前記電流制御回路に出力動作を停止させるとともに該出力動作の停止からの経過時間を測定し、該経過時間に応じて前記電流制御回路を再始動させるように構成された制御部と
を備えたＬＥＤ電源装置。
【請求項２】
請求項１に記載のＬＥＤ電源装置において、前記検出部が前記出力電流を検出する電流検出抵抗からなり、前記制御部が、前記電流検出抵抗によって検出された検出電流が所定値以下となった場合に前記電流制御回路に出力動作を停止させるように構成されたＬＥＤ電源装置。
【請求項３】
請求項１又は２に記載のＬＥＤ電源装置において、前記制御部が、前記経過時間に応じて前記電流制御回路の再始動を複数回にわたって行うように構成されたＬＥＤ電源装置。
【請求項４】
請求項１から３のいずれか一項に記載のＬＥＤ電源装置において、前記出力動作の停止時から最後の再始動が行われるまでの時間が、前記出力動作の停止時から前記制御電圧が前記制御部の動作可能電圧未満となるまでの時間よりも長い、ＬＥＤ電源装置。
【請求項５】
請求項１から３のいずれか一項に記載のＬＥＤ電源装置において、前記制御部がマイクロプロセッサを含み、前記出力動作の停止時から最後の再始動が行われるまでの時間が、前記出力動作の停止時から前記マイクロプロセッサのリセット電圧に達するまでの時間よりも長い、ＬＥＤ電源装置。
【請求項６】
請求項１から５のいずれか一項に記載のＬＥＤ電源装置であって、前記コンデンサの電圧を検出するコンデンサ電圧検出回路を更に備え、
前記出力動作の停止時点での前記コンデンサの電圧が所定値以上の場合には前記制御部が前記電流制御回路の再始動を行わないように構成されたＬＥＤ電源装置。
【請求項７】
請求項１から６のいずれか一項に記載のＬＥＤ電源装置と、前記ＬＥＤとを備えたＬＥＤ照明装置。
【発明の詳細な説明】
【技術分野】
【０００１】
本発明はＬＥＤ電源装置及びＬＥＤ照明装置に関する。
【背景技術】
【０００２】
特許文献１は、ＬＥＤが接続される出力端子の電圧を検出する電圧検出手段を備えた回路装置を開示する。この回路装置においては、無負荷時等に出力端子の電圧が所定値を超えると信号が生成され、この信号に基づいて回路装置内の電流経路が断たれ、これにより保護動作が得られる。このような出力電圧の検出回路を有する電源装置から更に回路構成を簡素化及び低コスト化するため、電圧検出回路を省略した構成が提案されている。
【０００３】
特許文献２は、出力電流の検出結果からＬＥＤ光源の接続状態を判断してＬＥＤへの出力を調整するＬＥＤ駆動装置を開示する。このＬＥＤ駆動装置は、ＬＥＤ光源に直流電圧を出力するコンバータと、ＬＥＤ光源に流れる電流を検出する電流検出手段と、電流検出の結果に応じてコンバータを制御する駆動制御部を有する。駆動制御部は、検出電流が閾値を超えていればＬＥＤ光源が接続されているものとしてコンバータの出力を調整し、検出電流が閾値以下であればＬＥＤ光源が接続されていないものとして出力を低減又は停止する。
【先行技術文献】
【特許文献】
【０００４】
【特許文献１】特表２００１−５０１３６０号公報
【特許文献２】特許第４１６９００８号公報
【発明の概要】
【発明が解決しようとする課題】
【０００５】
しかし、特許文献２の構成によると、短時間の停電が発生した場合に、電源停止時に消灯したＬＥＤが電源復帰時に再点灯しないという問題が起こり得る。具体的には、電流検出手段によってＬＥＤ電流の停止が検出された場合に、ＬＥＤ電流の停止が入力電源の停止（すなわち、停電）に起因するものなのか、出力端にＬＥＤが接続されていないこと（すなわち、無負荷状態）に起因するものなのかが、制御部において判断されない。すなわち、制御部は、停電発生時においても無負荷時においてもコンバータの出力を停止し、その停止状態を維持する。この停電が長時間にわたるものであれば、停電中に制御部への制御電源の供給が一旦断たれ、電源復帰時に制御電源が再供給されて制御部及びコンバータが再始動する。一方、停電が短時間（例えば数１０ｍ秒〜２０秒程度）の場合、停電中に制御部への制御電源の供給は断たれず、制御部はコンバータの出力停止を継続するため、電源復帰時にコンバータの出力停止状態、すなわちＬＥＤ消灯状態が維持されてしまう。この場合、ＬＥＤを再点灯させるためには入力電源を再投入して回路状態をリセットしなければならない。この場合、特に夜間の停電時等に、消灯された暗い室内でユーザに電源再投入を行わせることになり、好ましくない。
【０００６】
したがって、ＬＥＤ電源装置においては、ＬＥＤ電流の停止が無負荷状態に起因するものであれば消灯状態を維持し、短時間の停電に起因するものであれば電源復帰後に自動で再点灯させることが望ましい。そこで、本発明は、ＬＥＤ電流の状態に基づいて出力を制御するＬＥＤ電源装置において、入力電源が短時間停止した場合でも入力電源復帰時に再点灯が行われるＬＥＤ電源装置を提供することを課題とする。
【課題を解決するための手段】
【０００７】
本発明のＬＥＤ電源装置は、入力電源からの電圧を充電するコンデンサと、コンデンサの電圧を電源として出力電流をＬＥＤに供給する電流制御回路と、ＬＥＤに流れるＬＥＤ電流の状態を検出する検出部と、コンデンサの電圧から生成される制御電圧で動作し、ＬＥＤ電流が停止したことが検出部によって検出された場合に、電流制御回路に出力動作を停止させるとともに出力動作の停止からの経過時間を測定し、経過時間に応じて電流制御回路を再始動させるように構成された制御部とを備える。
【０００８】
上記ＬＥＤ電源装置によると、制御部は、ＬＥＤ電流が停止したことに応じて電流制御回路に出力動作を停止させ、制御電圧の供給を受けている限りは、出力動作の停止時からの経過時間に応じて電流制御回路を再始動させる。これにより、入力電源停止時に電流制御回路の出力動作が停止させ、短時間で入力電源が復帰した場合に、入力電源の再投入を要さずにＬＥＤを再点灯させることが可能となる。
【０００９】
ここで、検出部は出力電流を検出する電流検出抵抗であればよい。この場合、制御部は、電流検出抵抗によって検出された検出電流が所定値以下となった場合に電流制御回路に出力動作を停止させる。これにより、電流検出抵抗を利用した簡素な構成のＬＥＤ電源装置が実現される。
【００１０】
また、制御部は、経過時間に応じて電流制御回路の再始動を複数回にわたって行うことが好ましい。これにより、電源復帰時からＬＥＤ再点灯までのタイムラグの期待値を減少させることができる。
【００１１】
また、出力動作の停止時から最後の再始動が行われるまでの時間が、出力動作の停止時から制御電圧が制御部の動作可能電圧未満となるまでの時間よりも長いことが好ましい。これにより、入力電源の復帰タイミングと、制御部が動作停止するタイミングとの関係にかかわらず、確実に電流制御回路を再始動してＬＥＤを再点灯させることができる。
【００１２】
また、制御部がマイクロプロセッサを含み、出力動作の停止時から最後の再始動が行われるまでの時間が、出力動作の停止時からマイクロプロセッサのリセット電圧に達するまでの時間よりも長いことが好ましい。これにより、入力電源の復帰タイミングと、マイコンがリセットされるタイミングとの関係にかかわらず、確実に電流制御回路を再始動してＬＥＤを再点灯させることができる。
【００１３】
また、コンデンサの電圧を検出するコンデンサ電圧検出回路を更に設け、出力動作の停止時点でのコンデンサの電圧が所定値以上の場合には、制御部が電流制御回路の再始動を行わないように構成してもよい。これにより、不要な再始動動作をなくして無負荷保護時の消費電力を低減することができる。
【００１４】
本発明のＬＥＤ照明装置は、上記ＬＥＤ電源装置と、ＬＥＤとを備える。これにより、短時間の停電があっても、入力電源復帰時に入力電源再投入を要することなくＬＥＤが再点灯されるＬＥＤ照明装置を実現することができる。
【図面の簡単な説明】
【００１５】
【図１】本発明の実施形態によるＬＥＤ電源装置及び照明装置の回路構成図である。
【図２】本発明の実施形態によるＬＥＤ電源装置における停電時の動作を説明する図である。
【図３】本発明の実施形態によるＬＥＤ電源装置における停電時の動作を説明する図である。
【図４】本発明の実施形態によるＬＥＤ電源装置における無負荷時の動作を説明する図である。
【図５】本発明の実施形態によるＬＥＤ電源装置の動作を説明するフローチャートである。
【図６】本発明の変形例によるＬＥＤ電源装置及び照明装置の回路構成図である。
【図７】本発明の変形例によるＬＥＤ電源装置及び照明装置の回路構成図である。
【発明を実施するための形態】
【００１６】
図１に、本発明の実施形態に係るＬＥＤ電源装置１を含むＬＥＤ照明装置３の回路構成図を示す。ＬＥＤ照明装置３はＬＥＤ電源装置１及びＬＥＤ２を含む。ＬＥＤ電源装置１には入力端子Ｔ１及びＴ２から交流電源ＡＣ（例えば、商用電源）が入力され、ＬＥＤ電源装置１の出力端子Ｔ３及びＴ４から直流出力がＬＥＤ２に供給される。ＬＥＤ２は直列接続された複数のＬＥＤ素子２ａからなるＬＥＤモジュール等であればよい。図１においては、４個のＬＥＤ素子２ａを示しているが、ＬＥＤ素子２ａの接続数は任意である。
【００１７】
ＬＥＤ電源装置１は、入力回路１０、力率改善回路２０（以下、「ＰＦＣ２０」という）、電流制御回路３０、電流検出抵抗４０（検出部）、補助電源回路５０及び制御部６０を含む。なお、本明細書における説明において、各回路又は構成要素が上記のどのブロックに属するかは便宜的なものであり、本発明を拘束するものではない。また、同様の構成要素には同じ符号を付し、重複する説明を省略する。
【００１８】
入力回路１０は電流ヒューズ１１及び１２、全波整流器１３並びに入力コンデンサ１４を含む。電流ヒューズ１１及び１２はそれぞれ入力端子Ｔ１及びＴ２と全波整流器１３の入力端子間に接続される。入力回路１０はまた、必要に応じてノイズフィルタ、バリスタ等をさらに含んでいてもよい。入力交流電圧が全波整流器１３によって全波整流され、入力コンデンサ１４に発生する脈流電圧が後段のＰＦＣ２０に供給される。
【００１９】
ＰＦＣ２０は、インダクタ２１、スイッチング素子２２、ダイオード２３、ＰＷＭ制御回路２４、平滑コンデンサ２５、コンデンサ電圧検出回路２６及び電流検出抵抗２７を含み、コンデンサ電圧検出回路２６は抵抗２６ａ、２６ｂ及び２６ｃからなる分圧回路を含む。以降の説明において、コンデンサ２５の負極側電極と同電位のノードをグランドというものとする。なお、ＰＷＭ制御回路２４は、不図示の配線によってグランド接続されている。スイッチング素子２２はＰＷＭ制御回路２４によって高周波スイッチングによりＰＷＭ制御され、これにより入力力率が改善される。スイッチング素子２２がオンの期間においては、入力回路１０からの脈流電圧がインダクタ２１及びスイッチング素子２２に流れることによりインダクタ２１にエネルギーが蓄えられる。スイッチング素子２２がオフの期間においては、インダクタ２１に蓄えられているエネルギーがダイオード２３を介してコンデンサ２５に充電される。これにより、コンデンサ２５には入力電源電圧から昇圧された電圧が充電される。ＰＷＭ制御回路２４は、コンデンサ電圧検出回路２６によって検出されたコンデンサ２５の電圧が所望の値となるようにＰＷＭ制御におけるオン幅を決定するとともに、電流検出抵抗２７によって検出される電流を参照してスイッチング素子２２の動作状態を決定及び制御する。
【００２０】
電流制御回路３０は、スイッチング素子３１、インダクタ３２、ダイオード３３、コンデンサ３４及びＰＷＭ制御回路３５を含み、降圧チョッパ回路を構成する。なお、ＰＷＭ制御回路３５は不図示の配線によってグランド接続されている。電流制御回路３０は、コンデンサ２５の電圧を電源として制限された出力電流をＬＥＤ２に供給する。スイッチング素子３１はＰＷＭ制御回路３５によってＰＷＭ制御される。スイッチング素子３１がオンの期間においては、ＰＦＣ２０（コンデンサ２５）→スイッチング素子３１→インダクタ３２→ＬＥＤ２→電流検出抵抗４０に出力電流が流れ、インダクタ３２にエネルギーが蓄えられる。スイッチング素子３１がオフの期間においては、インダクタ３２に蓄えられたエネルギーをもとに、インダクタ３２→ＬＥＤ２→電流検出抵抗４０→ダイオード３３に出力電流が流れる。コンデンサ３４は出力電圧及び電流を平滑化する。これにより、制限された直流電流が電流制御回路３０からＬＥＤ２に供給される。なお、本実施形態において、電流制御回路３０の出力電流と、ＬＥＤ２に流れるＬＥＤ電流とは実質的に同じであるので、出力電流とＬＥＤ電流とは同義の用語であるものとする。
【００２１】
詳細を後述するように、ＰＷＭ制御回路３５は制御部６０から入力される信号に応じて電流制御回路３０の出力動作を有効化又は無効化する。具体的には、ＰＷＭ制御回路３５は、動作信号が入力されるとスイッチング素子３１を上述のようにＰＷＭ制御して電流制御回路３０の出力動作を実行し、停止信号が入力されるとスイッチング素子３１をオフ状態として電流制御回路３０の出力動作を停止させる。
【００２２】
電流検出抵抗４０は０．１〜１Ω程度の低抵抗素子からなる。電流検出抵抗４０に発生した電圧が電流検出値として制御部６０に供給される。また、図中の破線で示すように、電流検出抵抗４０に発生した電圧が電流検出値としてＰＷＭ制御回路３５に入力されるようにしてもよい。この場合、ＰＷＭ制御回路３５において、電流検出値が目標値に一致するようにＰＷＭ幅が決定され、出力電流（ＬＥＤ電流）が定電流制御される。
【００２３】
補助電源回路５０は、例えば、降圧チョッパ回路、リンギングチョークコンバータ回路、三端子レギュレータ等の定電圧出力回路を含み、コンデンサ２５の電圧からＰＷＭ制御回路２４、ＰＷＭ制御回路３５及び制御部６０の制御電源を生成する。なお、補助電源回路５０は不図示の配線によってグランド接続されているものとする。制御電源は５〜１５Ｖ程度の低電圧であればよく、ＰＷＭ制御回路２４、ＰＷＭ制御回路３５及び制御部６０に供給される制御電源は同じ電圧値であっても異なる電圧値であってもよい。
【００２４】
制御部６０は補助電源回路５０から制御電源の供給を受けて動作する。制御部６０はマイクロプロセッサ（以下、「マイコン」という）を有し、不図示の配線によってグランド接続されている。制御部６０には、電流検出抵抗４０に発生した電圧が電流検出値として入力される。制御部６０（マイコン）は、起動すると動作信号（始動信号）をＰＷＭ制御回路３５に出力する。その後、電流検出値が所定値以下（例えば、ゼロ）となった場合には、停止信号をＰＷＭ制御回路３５に出力して電流制御回路３０の出力動作を停止させるとともに出力動作停止からの経過時間を測定する。詳細を後述するように、制御部６０は、停止信号を出力した後、所定期間経過後に少なくとも１回、動作信号（再始動信号）をＰＷＭ制御回路３５に出力する。すなわち、制御部６０は電流制御回路３０の出力動作を停止させた後に、出力動作停止からの経過時間に応じて電流制御回路３０を再始動させるリトライ動作を少なくとも１回行う。
【００２５】
なお、ＰＷＭ制御回路３５における動作信号（始動信号、再始動信号）及び停止信号の処理について、制御部６０からいずれかの信号が常に出力されるようにして、ＰＷＭ制御回路３５は入力されている信号に基づいてスイッチング素子３１の動作状態を決定することができる。また、制御部６０からいずれかの信号がパルス出力されるようにして、ＰＷＭ制御回路３５は最後に受け付けた信号に基づいてスイッチング素子３１の動作状態を決定するようにしてもよい。以降に説明する例においては前者を採用するが、後者を用いても処理を適宜修正することにより同じ効果が得られることは明らかである。
【００２６】
次に、本実施形態によるＬＥＤ電源装置１の動作を説明する。なお、本明細書において短時間とは、概ね数１０ｍ秒〜２０秒程度のいずれかの時間幅をいうものとする。
【００２７】
図２及び図３を参照して、ＬＥＤ電源装置１における停電時の動作を説明する。本例では、制御部６０からの再始動信号の出力タイミング、すなわち、リトライのタイミングは、電流制御回路３０の出力動作停止時から３秒後、６秒後、及び１７秒後であるものとする。
【００２８】
図２は、比較的短い短時間停電の場合（停電中に制御部６０のマイコンがリセットされない場合）の動作を説明する図であり、例えば、落雷によりＡＣ電源が５秒間断たれた場合を想定する。図２は、上段から、ＡＣ電源電圧、ＬＥＤ電流、コンデンサ２５の電圧（以下、「コンデンサ電圧Ｖｄｃ」という）、スイッチング素子３１の動作状態、及び制御回路６０の制御電圧（以下、「制御電圧Ｖｃｃ」という）を示し、その横軸は時間である。なお、図面は模式図であり、縮尺通りとは限らない。
【００２９】
停電が発生する時刻ｔ１までは、通常の点灯が行われていたものとする。すなわち、ＡＣ電源が入力され、コンデンサ電圧Ｖｄｃが４２０Ｖで一定となるようにＰＦＣ２０が動作し、ＬＥＤ電流が６００ｍＡで一定となるように電流制御回路３０が動作する。なお、前提として、ＬＥＤ２の順方向電圧降下は２００Ｖであり、電流制御回路３０での電圧降下が１０Ｖであるものとする。また、制御電圧Ｖｃｃは５Ｖであるものとし、補助電源回路５０はコンデンサ電圧Ｖｄｃが１００Ｖ以上の場合に制御電圧Ｖｃｃ（５Ｖ）を出力できるものとする。スイッチング素子３１のＰＷＭ制御における最大オンｄｕｔｙは７０％であるものとする。
【００３０】
時刻ｔ１での停電発生以降、コンデンサ電圧Ｖｄｃが低下していく。  
時刻ｔ２でコンデンサ電圧Ｖｄｃは２８５Ｖとなる。時刻ｔ２以降において、コンデンサ電圧Ｖｄｃが２８５Ｖを下回ると、スイッチング素子３１が最大ｄｕｔｙ（７０％）で動作しつつ、ＬＥＤ電流が低下していく。
【００３１】
時刻ｔ３でコンデンサ電圧Ｖｄｃは２１０Ｖとなる。時刻ｔ３以降において、コンデンサ電圧Ｖｄｃが２１０Ｖを下回ると、スイッチング素子３１が最大ｄｕｔｙ（７０％）で動作してもＬＥＤ２及び電流制御回路３０の電圧降下（２００Ｖ＋１０Ｖ＝２１０Ｖ）が保持されなくなり、ＬＥＤ電流が停止する（ゼロとなる）。ＬＥＤ電流がゼロになったことに応じて制御部６０が停止信号を出力し、ＰＷＭ制御回路３５がスイッチング素子３１の動作を停止させる。なお、その後もコンデンサ電圧Ｖｄｃは閾値１００Ｖ以上であるので、補助電源回路５０は制御電圧Ｖｃｃ（５Ｖ）の出力を維持する。
【００３２】
時刻ｔ４（時刻ｔ１から４秒後、時刻ｔ３から３秒後）に１回目のリトライが行われる。しかし、制御部６０が再始動信号を出力して電流制御回路３０を再始動してもＬＥＤ電流は流れない。電流検出抵抗４０によってＬＥＤ電流が検出されないため、制御部６０は停止信号を再度出力することになる。したがって、時刻ｔ４前後でＬＥＤ照明装置３全体の動作状態は変わらない。
【００３３】
時刻ｔ５（時刻ｔ１から５秒後、時刻ｔ３から４秒後）において、ＡＣ電源が停電から復帰し、その後ＰＦＣ２０の動作によりコンデンサ電圧Ｖｄｃが４２０Ｖに回復する。
【００３４】
時刻ｔ６（時刻ｔ１から７秒後、時刻ｔ３から６秒後）に２回目のリトライが行われる。すなわち、制御部６０が再始動信号を出力して電流制御回路３０を再始動する。これによりＬＥＤ電流が流れ、停電前と同様に、ＬＥＤ電流が６００ｍＡで定電流制御される動作状態が再開する。
【００３５】
図３は、比較的長い短時間停電の場合（停電中に制御部６０のマイコンがリセットされる場合）の動作を説明する図であり、例えば、落雷によりＡＣ電源が１７秒間断たれた場合を示す。図３は、上段から、ＡＣ電源電圧、ＬＥＤ電流、コンデンサ電圧Ｖｄｃ、スイッチング素子３１の動作状態、及び制御電圧Ｖｃｃを示し、横軸は時間である。なお、図面は模式図であり、縮尺通りとは限らない。
【００３６】
図３において、時刻ｔ１以前及び時刻ｔ１〜時刻ｔ４までは図２と同様である。すなわち、時刻ｔ１に停電が発生してコンデンサ電圧Ｖｄｃが低下を開始し、時刻ｔ２にＬＥＤ電流が低下を開始し、時刻ｔ３にＬＥＤ電流がゼロとなり、時刻ｔ４に１回目のリトライが行われるがＬＥＤ２は再点灯されない。時刻ｔ６に２回目のリトライが行われるが、本例においては、この２回目のリトライにおいてもＬＥＤ電流を流れず、したがってＬＥＤ電流が検出されないので、時刻ｔ４の１回目のリトライと同様に、その前後でＬＥＤ照明装置３全体としての動作状態は変わらない。
【００３７】
時刻ｔ７（時刻ｔ１から１５秒後、時刻ｔ３から１４秒後）において、コンデンサＶｄｃが１００Ｖ未満となり、制御電圧Ｖｃｃが制御部６０の動作可能電圧未満、すなわち、マイコンのリセット電圧となる。これにより、マイコンはシャットダウンされる。
【００３８】
時刻ｔ８（時刻ｔ１から１７秒後、時刻ｔ３から１６秒後）において、ＡＣ電源が停電から復帰し、その後ＰＦＣ２０の動作によりコンデンサ電圧Ｖｄｃが４２０Ｖに回復する。時刻ｔ８の直後にコンデンサ電圧Ｖｄｃが１００Ｖを超え、制御電圧Ｖｃｃ（５Ｖ）の出力が再開される。これにより、制御部６０のマイコンが再起動し、ＰＷＭ制御回路３５に始動信号を出力して電流制御回路３０を始動させる。これにより、ＬＥＤ２が点灯される。
【００３９】
なお、時刻ｔ９（時刻ｔ１から１８秒後、時刻ｔ３から１７秒後）に３回目のリトライが予定されているが、本例では、このリトライは実行されない。ここで、以降の説明において、電流制御回路３０の動作停止時点（ｔ３）から最後のリトライが予定されている時点（ｔ９）までの時間（本例では１７秒間）をリトライ期間というものとする。また、電流制御回路３０の動作停止時点（ｔ３）から制御電圧Ｖｃｃが制御部６０の動作可能電圧未満になる時点（ｔ７）までの時間、すなわちマイコンのリセット電圧に達するまでの時間（本例では１４秒間）をリセット期間というものとする。仮に（稀な場合ではあるが）リトライ期間がリセット期間よりも短い場合に最後のリトライとマイコンのリセットの間に停電が回復すると、最後のリトライ後が不発に終わり、かつマイコンがリセットされないことになり、入力電源復帰後も停止信号が維持されることになる。このような場合、入力電源が回復しているにもかかわらずＬＥＤ点灯が復帰しないこととなる。したがって、リトライ期間はリセット期間よりも長く設定されることが望ましい。
【００４０】
これにより、停電発生からどの時点で入力電源が回復してもリトライ又はリセットのいずれかによって電流制御回路３０の動作が再開されることになる。上記のリセット期間は、コンデンサ電圧Ｖｄｃ、コンデンサ２５の容量、補助電源回路５０の仕様等によって決まる。リトライ期間は、リセット期間のばらつきを考慮してリセット期間よりも数秒（１〜５秒程度）長く設定されればよい。
【００４１】
参照として、図４に、ＬＥＤ電源装置１における無負荷時の動作を示す。図４も、図２及び図３と同様に、上段から、ＡＣ電源電圧、ＬＥＤ電流、コンデンサ電圧Ｖｄｃ、スイッチング素子３１の動作状態、及び制御電圧Ｖｃｃを示し、その横軸は時間である。なお、図面は模式図であり、縮尺通りとは限らない。
【００４２】
時刻ｔ１１において無負荷状態（例えば、ＬＥＤ２の断線）が発生し、ＬＥＤ電流が停止するものとする。ＬＥＤ電流がゼロになったことに応じて制御部６０が停止信号を出力し、ＰＷＭ制御回路３５がスイッチング素子３１の動作を停止させる。なお、その後もＡＣ電源電圧は入力されているので、コンデンサ電圧ＶｄｃはＰＦＣ２０の動作により４２０Ｖに維持され、補助電源回路５０からの制御電圧Ｖｃｃ（５Ｖ）も維持される。なお、無負荷状態はその後も継続するものとする。
【００４３】
時刻ｔ１２（時刻ｔ１１から３秒後）、時刻ｔ１３（時刻ｔ１１から６秒後）及び時刻ｔ１４（時刻ｔ１１から１７秒後）にそれぞれリトライが行われる。各リトライ動作において、制御部６０は、再始動信号を出力して電流制御回路３０を動作させてもＬＥＤ電流が発生しないため、停止信号を再度出力する。したがって、各リトライ動作の前後においてＬＥＤ照明装置３全体としての動作状態は変わらない。このように、無負荷時には、電流制御回路３０の動作停止による保護状態が保持される。なお、再点灯のためには、無負荷状態の解消及び入力電源の再投入が必要となる。
【００４４】
図５は、ＬＥＤ点灯装置１の動作を示すフローチャートである。
ステップＳ１００において、補助電源回路５０によって生成される制御電圧ＶｃｃがマイコンのリセットレベルＶｔｈを超えると、ステップＳ１０５において、マイコンが起動する。ステップＳ１０５において、後述する再始動の回数（リトライ回数ｎ）が０にセットされる。
【００４５】
ステップＳ１１０において、制御部６０は、電流検出抵抗４０で検出されるＬＥＤ電流Ｉｏｕｔが閾値Ｉｔｈ以下であるか否か（例えば、ＬＥＤ電流Ｉｏｕｔが０Ａであるか否か）を判別する。ＬＥＤ電流Ｉｏｕｔが閾値Ｉｔｈ以下である場合（ステップＳ１１０、ＹＥＳ）、ステップＳ１１５において、制御部６０は停止信号をＰＷＭ制御回路３５に出力して電流制御回路３０の出力動作を停止させる。
【００４６】
ステップＳ１２０において、制御部６０は、リトライ回数ｎが設定値Ｎ未満であるか否かを判別する。なお、本例ではＮ＝３である。リトライ回数ｎが設定値Ｎに達している場合（ステップＳ１２０、ＮＯ）、処理は終了し、出力停止状態が保持される。リトライ回数が設定値Ｎ未満である場合（ステップＳ１２０、ＹＥＳ）、処理はステップＳ１２５に進む。
【００４７】
ステップＳ１２５において、リトライ回数ｎに応じてタイマの長さ、すなわち、次のリトライのタイミングがセットされる。本例では、リトライ回数ｎが０の場合にはタイマの長さは３秒（図２及び図３のｔ３〜ｔ４）であり、リトライ回数ｎが１の場合にはタイマの長さは３秒（図２及び図３のｔ４〜ｔ６）であり、リトライ回数ｎが２の場合にはタイマの長さは１１秒（図２及び図３のｔ６〜ｔ９）である。
【００４８】
ステップＳ１３０において、制御部６０は、ステップＳ１２５でセットされたタイマが終了したか否かを判定する。タイマが終了していない場合（ステップＳ１３０、ＮＯ）、処理はステップＳ１３５に進み、タイマが終了した場合（ステップＳ１３０、ＹＥＳ）、処理はステップＳ１４５に進む。
【００４９】
ステップＳ１３５において、制御電圧ＶｃｃがマイコンのリセットレベルＶｔｈ以下である場合（ステップＳ１３５、ＹＥＳ）、ステップＳ１４０において、マイコンの動作は停止し、処理はステップＳ１００に戻る。これにより、次に制御電圧ＶｃｃがリセットレベルＶｔｈを超えた場合に（ステップＳ１００、ＹＥＳ）、電流制御回路３０が始動される。制御電圧ＶｃｃがマイコンのリセットレベルＶｔｈを超えている場合（ステップＳ１３５、ＮＯ）、タイマのカウントが継続される。これにより、ステップＳ１１５による出力動作停止からの経過時間に応じた処理が行われる。
【００５０】
ステップＳ１４５において、制御部６０は再始動信号をＰＷＭ制御回路３５に出力して電流制御回路３０の出力動作を再始動し、ステップＳ１５０においてリトライ回数ｎを増分する。処理は、ステップＳ１１０に戻る。ここで、ＬＥＤ電流Ｉｏｕｔがゼロの場合には（ステップＳ１１０、ＹＥＳ）、電流制御回路３０の出力動作が再び停止され（ステップＳ１１５）、以降のリトライに関する処理が行われる。
【００５１】
以上のように、本実施形態のＬＥＤ電源装置１によると、制御部６０は、ＬＥＤ電流の停止が検出された場合に、電流制御回路３０に出力動作を停止させるとともに出力停止からの経過時間を測定し、コンデンサ２５から供給される制御電圧が所定値以上である限りは、経過時間に応じて電流制御回路３０を再始動させる。これにより、ＬＥＤ電流の状態に基づいて出力を制御する（すなわち、出力電圧又はＬＥＤ電圧の検出を行わない）ＬＥＤ電源装置において、入力電源が短時間停止した場合でも入力電源復帰時に、入力電源再投入を要することなくＬＥＤを再点灯させることが可能となる。
【００５２】
以上に本発明の好適な実施形態を示したが、本発明は、例えば以下に示すように種々の態様に変形可能である。
【００５３】
（１）ＬＥＤ電流の状態を検出する検出部の変形
上記実施形態では、最も簡素に実現できる検出部として、電流制御回路３０の出力電流（ＬＥＤ電流に実質的に等しい電流）を検出する電流検出抵抗４０を示したが、検出部は、図６に示すように、ＬＥＤ電流に略比例する照度を検出する照度センサであってもよい。図６のＬＥＤ電源装置１は、検出部として照度センサ４５を備える点以外は図１のＬＥＤ電源装置１と同様である。照度センサ４５はＬＥＤ２の近傍に設けられ、ＬＥＤ電流に比例する照度を検出する。照度センサ４５によって検出された照度の電圧変換値が制御部６０に入力される。この電圧変換値を上記実施形態の電流検出値と同様に処理することにより、本発明が実施される。
【００５４】
（２）リトライ設定回数の変更
上記実施形態では、リトライ設定回数を例示として３回としたが、リトライ設定回数はこれよりも少なくても多くてもよい。リトライ設定回数を減らすことにより制御構成を簡素化することができ、逆にリトライ設定回数を増やすことにより入力電源復帰からＬＥＤ再点灯までのタイムラグの期待値を減少させることができる。
【００５５】
（３）無負荷時動作の変形
上記実施形態では、停電時においても無負荷検出時においてもリトライを行う構成を示したが、無負荷検出時にリトライを行わない構成としてもよい。例えば、図７に示すように、コンデンサ電圧検出回路２６の検出電圧が制御部６０に入力されるようにして、ＬＥＤ電流が停止したことが検出された時点（図２及び図３のｔ３、図４のｔ１１）でのコンデンサ電圧Ｖｄｃが所定値以上である場合には、停電ではなく無負荷が検出されたものとして制御部６０が電流制御回路３０の再始動を行わないようにしてもよい。これにより不要なリトライ動作をなくすことができ、無負荷待機時の消費電力を低減できる。
【００５６】
（４）ＰＦＣ２０の変形
上記実施形態では、電流制御回路３０の前段の回路としてＰＦＣを採用したが、力率、電源高調波等が所望値となることを前提として、コンデンサ２５と全波整流器１３の間にスイッチング回路が設けられない、いわゆるコンデンサインプット型の回路が採用されてもよい。また更に、上記実施形態では、入力電源が交流電源である場合を示したが、入力電源が直流電源である場合にも本発明は適用可能である。この場合、全波整流器１３は不要となる。
【００５７】
（５）電流制御回路３０の変形
上記実施形態では、電流制御回路３０は降圧チョッパ回路で構成されるが、フライバックコンバータ、ブリッジ型コンバータ等の他の方式の回路であってもよい。
【符号の説明】
【００５８】
１  ＬＥＤ電源装置
２  ＬＥＤ
３  ＬＥＤ照明装置
２５  コンデンサ
３０  電流制御回路
４０  電流検出抵抗（検出部）
４５  照度センサ（検出部）
６０  制御部
【図１】
2015153637.tif 000003
【図２】
2015153637.tif 000004
【図３】
2015153637.tif 000005
【図４】
2015153637.tif 000006
【図５】
2015153637.tif 000007
【図６】
2015153637.tif 000008
【図７】
2015153637.tif 000009